(57)【要約】資産価格の変動スピードの速い金融商品の市場における取引において、所望の条件における指値注文を狙いやすくする。表示画面の第１の表示領域２１０に、ＬＴＰ２１１Ａを含む板情報２１１が表示される。それと同時に又はその前後に、第１の表示領域２１０の下方に配置された第２の表示領域２２０に、金融商品の売却を行うための売却領域２２１、購入を行うための購入領域２２２、売買数量の指定領域２２３、売買価格の指定領域２２４及びＬＴＰを基準とした注文価格を表示する注文価格領域２２５が表示される。次に、売買価格の指定領域２２４がタップ又はクリックされたことを検出して、注文価格を所定の金額だけ増減させ、また注文価格領域２２５に表示される金額を更新する。ＬＴＰを基準として算出された注文価格は、ＬＴＰが変化した場合、再計算して注文価格領域２２５に再描画される。
2019208662.tif 000002
【特許請求の範囲】
【請求項１】
金融商品の指値注文を行うための装置であって、
表示画面の第１の表示領域に板情報を表示し、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示し、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とする装置。
【請求項２】
前記注文価格領域に表示される価格を、前記金融商品のＬＴＰが変化したことに応じて更新することを特徴とする請求項１に記載の装置。
【請求項３】
コンピュータネットワークを介して通信可能なサーバから前記ＬＴＰを表すＬＴＰデータを受信することを特徴とする請求項２に記載の装置。
【請求項４】
前記注文価格領域は、前記売却領域と前記購入領域との間の中央付近に配置されることを特徴とする請求項１から３のいずれかに記載の装置。
【請求項５】
前記注文価格領域は、前記第２の表示領域の中央付近の凸領域に少なくとも部分的に表示されることを特徴とする請求項１から３のいずれかに記載の装置。
【請求項６】
前記数量指定領域がタップ又はクリックされたことに応じて、前記第１の表示領域又は前記第２の表示領域に表示される数量を切り替えることを特徴とする請求項１から５のいずれかに記載の装置。
【請求項７】
切り替えられる前記数量は、前記数量指定領域に表示されることを特徴とする請求項６に記載の装置。
【請求項８】
前記金融資産はビットコインであり、
前記数量は１、０．５又は０．１のいずれかであることを特徴とする請求項６又は７に記載の装置。
【請求項９】
前記数量指定領域及び前記価格指定領域は、それぞれその右、左、上又は下に指定可能な数量及び価格のいずれが指定されているかを視覚的に示すインジケータを伴うことを特徴とする請求項１から８のいずれかに記載の装置。
【請求項１０】
前記売却領域又は前記購入領域がタップ又はクリックされたことに応じて、指定された価格及び数量における前記金融商品の発注要求を送信することを特徴とする請求項１から９のいずれかに記載の装置。
【請求項１１】
前記第２の表示領域のいずれかの領域がタップ、クリック又は長押しされたことに応じて、板領域、注文領域及び入力領域を有する詳細取引画面に前記表示画面を遷移させることを特徴とする請求項１から１０のいずれかに記載の装置。
【請求項１２】
前記注文領域は、前記板領域の下方に配置されることを特徴とする請求項１１に記載の装置。
【請求項１３】
前記入力領域は、前記注文領域の下方に配置されることを特徴とする請求項１１又は１２に記載の装置。
【請求項１４】
前記注文領域は、前記金融商品の売却を行うための売却領域及び前記金融商品の購入を行うための購入領域を含むことを特徴とする請求項１１から１３のいずれかに記載の装置。
【請求項１５】
前記注文領域は、前記入力領域を売買する数量のための第１の入力領域に切り替える第１の切替領域及び前記入力領域を売買する価格のための第２の入力領域に切り替える第２の切替領域を含むことを特徴とする請求項１４に記載の装置。
【請求項１６】
前記第１の切替領域及び前記第２の切替領域の一方が前記売却領域の上方に配置され、他方が前記購入領域の上方に配置されることを特徴とする請求項１５に記載の装置。
【請求項１７】
指定された価格及び数量による総発注価格を前記売却領域と前記購入領域の間に表示することを特徴とする請求項１４から１６のいずれかに記載の装置。
【請求項１８】
前記入力領域は、前記数量指定領域により指定可能な数量の値又は前記価格指定領域により指定可能な増減金額の値のいずれかが０から９の数字に加えて表示されることを特徴とする請求項１１から１７のいずれかに記載の装置。
【請求項１９】
金融商品の指値注文を行うための方法であって、
表示画面の第１の表示領域に板情報を表示するステップと、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップと
を含み、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とする方法。
【請求項２０】
コンピュータに、金融商品の指値注文を行うための方法を実行させるためのプログラムであって、前記方法は、
表示画面の第１の表示領域に板情報を表示するステップと、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップと
を含み、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とするプログラム。
【発明の詳細な説明】
【技術分野】
【０００１】
本発明は、金融商品の指値注文を行うための装置、方法及びそのためのプログラムに関する。
【背景技術】
【０００２】
仮想通貨又は暗号通貨の特徴の１つとして、資産価格の変動性が極めて高いことが挙げられる。たとえば、ビットコインの２０１７年６月から２０１８年４月までのヒストリカル・ボラティリティ（ＨＶ）をみてみると、図１に示すように２１日間の短期移動平均線（青線）では１５０％を超える場面があり、２５２日間の長期移動平均線（橙線）でも５０〜１００％のレンジで推移といったように、非常に高い水準となっている。
【発明の概要】
【発明が解決しようとする課題】
【０００３】
このようなＨＶの高い金融商品の市場における取引において指値注文のための価格及び数量の入力を行う場合、資産価格の変動に素早く追随し、いかに狙ったタイミングで注文を通せるかが重要となるところ、従来のユーザーインターフェース（ＵＩ）では、価格変動についていけないことが少なくない。【０００４】
特に、デイトレード（短期売買）やスキャルピングトレード（超短期売買）といった短期間で注文から約定までを仕掛ける取引においては、より深刻な問題となる。また、仮想通貨又は暗号通貨の取引に限られず、株の銘柄、ＦＸの通貨ペア等によってはＨＶが高く、類似の問題が生じ得る。また、ＨＶはある程度一定であっても、金融商品の価格変動スピードが速い場合には、やはり狙った注文を通すことの難易度は高くなる。【０００５】
本発明は、このような問題点に鑑みてなされたものであり、資産価格の変動スピードの速い金融商品の市場における取引において、所望の条件における指値注文を狙いやすくすることにある。
【課題を解決するための手段】
【０００６】
このような目的を達成するために、本発明の第１の態様は、金融商品の指値注文を行うための装置であって、表示画面の第１の表示領域に板情報を表示し、前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示し、前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とする。【０００７】
また、本発明の第２の態様は、第１の態様において、前記注文価格領域に表示される価格を、前記金融商品のＬＴＰが変化したことに応じて更新することを特徴とする。【０００８】
また、本発明の第３の態様は、第２の態様において、コンピュータネットワークを介して通信可能なサーバから前記ＬＴＰを表すＬＴＰデータを受信することを特徴とする。【０００９】
また、本発明の第４の態様は、第１から第３のいずれかの態様において、前記注文価格領域は、前記売却領域と前記購入領域との間の中央付近に配置されることを特徴とする。【００１０】
また、本発明の第５の態様は、第１から第３のいずれかの態様において、前記注文価格領域は、前記第２の表示領域の中央付近の凸領域に少なくとも部分的に表示されることを特徴とする。【００１１】
また、本発明の第６の態様は、第１から第５のいずれかの態様において、前記数量指定領域がタップ又はクリックされたことに応じて、前記第１の表示領域又は前記第２の表示領域に表示される数量を切り替えることを特徴とする。【００１２】
また、本発明の第７の態様は、第６の態様において、切り替えられる前記数量は、前記数量指定領域に表示されることを特徴とする。【００１３】
また、本発明の第８の態様は、第６又は第７の態様において、前記金融資産はビットコインであり、前記数量は１、０．５又は０．１のいずれかであることを特徴とする。【００１４】
また、本発明の第９の態様は、第１から第８のいずれかの態様において、前記数量指定領域及び前記価格指定領域は、それぞれその右、左、上又は下に指定可能な数量及び価格のいずれが指定されているかを視覚的に示すインジケータを伴うことを特徴とする。【００１５】
また、本発明の第１０の態様は、第１から第９のいずれかの態様において、前記売却領域又は前記購入領域がタップ又はクリックされたことに応じて、指定された価格及び数量における前記金融商品の発注要求を送信することを特徴とする。【００１６】
また、本発明の第１１の態様は、第１から第１０のいずれかの態様において、前記第２の表示領域のいずれかの領域がタップ、クリック又は長押しされたことに応じて、板領域、注文領域及び入力領域を有する詳細取引画面に前記表示画面を遷移させることを特徴とする。【００１７】
また、本発明の第１２の態様は、第１１の態様において、前記注文領域は、前記板領域の下方に配置されることを特徴とする。【００１８】
また、本発明の第１３の態様は、第１１又は第１２の態様において、前記入力領域は、前記注文領域の下方に配置されることを特徴とする。【００１９】
また、本発明の第１４の態様は、第１１から第１３のいずれかの態様において、前記注文領域は、前記金融商品の売却を行うための売却領域及び前記金融商品の購入を行うための購入領域を含むことを特徴とする請求項１１から１３のいずれかに記載の装置。【００２０】
また、本発明の第１５の態様は、第１４の態様において、前記注文領域は、前記入力領域を売買する数量のための第１の入力領域に切り替える第１の切替領域及び前記入力領域を売買する価格のための第２の入力領域に切り替える第２の切替領域を含むことを特徴とする。【００２１】
また、本発明の第１６の態様は、第１５の態様において、前記第１の切替領域及び前記第２の切替領域の一方が前記売却領域の上方に配置され、他方が前記購入領域の上方に配置されることを特徴とする。【００２２】
また、本発明の第１７の態様は、第１４から第１６のいずれかの態様において、指定された価格及び数量による総発注価格を前記売却領域と前記購入領域の間に表示することを特徴とする。
【００２３】
また、本発明の第１８の態様は、第１１から第１７のいずれかの態様において、前記入力領域は、前記数量指定領域により指定可能な数量の値又は前記価格指定領域により指定可能な増減金額の値のいずれかが０から９の数字に加えて表示されることを特徴とする。【００２４】
また、本発明の第１９の態様は、金融商品の指値注文を行うための方法であって、表示画面の第１の表示領域に板情報を表示するステップと、前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップとを含み、前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とする。【００２５】
また、本発明の第２０の態様は、コンピュータに、金融商品の指値注文を行うための方法を実行させるためのプログラムであって、前記方法は、表示画面の第１の表示領域に板情報を表示するステップと、前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップとを含み、前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示することを特徴とする。
【発明の効果】
【００２６】
本発明の一態様によれば、金融商品の発注条件を板情報等の当該金融商品に関する情報を見ながらＬＴＰを基準として指定可能とすることによって、資産価格の変動スピードが速い金融商品についても、所望の条件における指値注文の発注機会を狙いやすくすることができる。
【図面の簡単な説明】
【００２７】
【図１】ビットコインのヒストリカル・ボラティリティを示すチャートである。
【図２】本発明の第１の実施形態にかかる金融商品の取引のためのＵＩを示す図である。
【図３】本発明の第１の実施形態にかかる金融商品の取引のためのＵＩを示す図である。
【図４】本発明の第１の実施形態にかかる金融商品の指値注文を行うための方法の流れ図である。
【図５】本発明の第１の実施形態にかかる無線端末について説明するための図である。
【図６】本発明の第２の実施形態にかかる金融商品の取引のためのＵＩを示す図である。
【図７】本発明の第３の実施形態にかかる金融商品の取引のためのＵＩを示す図である。
【発明を実施するための形態】
【００２８】
以下、図面を参照して本発明の実施形態を詳細に説明する。
【００２９】
（第１の実施形態）  
図２に、本発明の第１の実施形態にかかる金融商品の取引のためのＵＩを示す。図２では、スマートフォンの表示画面のＵＩ２００が表示される例を示しているが、ＵＩ２００は、スマートフォン以外にタブレット等の携帯端末とすることができる。また、携帯端末は無線端末とすることができる。ユーザー端末には、取引を行うためのアプリケーション（以下「アプリ」）がインストールされており、当該アプリの中でＵＩ２００は表示される。
【００３０】
ユーザー端末に表示されるＵＩ２００は、対象とする金融商品に関する第１の表示領域２１０と、第１の表示領域２１０の下方に配置された当該金融商品の指値注文を行うための第２の表示領域２２０とを備える。第２の表示領域２２０は、図２においては表示画面の下端に配されているが、必ずしも最下端である必要はない。
【００３１】
第１の表示領域２１０には、板情報２１１及びチャート情報２１２が含まれ、さらに約定履歴情報２１３、建玉情報２１４、証拠金情報２１５、損益情報２１６等を含むことができる。
【００３２】
第２の表示領域２２０には、当該金融商品の売却を行うための売却領域２２１、購入を行うための購入領域２２２、売買する数量の指定領域２２３及び売買する価格の指定領域２２４が含まれ、注文価格を表示する注文価格領域２２５、後述する詳細取引画面に遷移するためのアイコン２２６等をさらに含むことができる。これらの各領域は、第２の表示領域２２０においてその境界線が可視であることは必ずしも必要ではなく、また、矩形領域であることも必ずしも必要ではない。注文価格領域２２５は、第２の表示領域２２０ではなく第１の表示領域２１０のいずれかの位置に表示することも可能である。
【００３３】
売却領域２２１と購入領域２２２とは、売却と購入の誤操作を抑制するために隣り合わないことが望ましく、一方を第２の表示領域２２０の右端側に配置し、他方を左端側に配置することがさらに望ましい。そして、売却領域２２１と購入領域２２２との間に注文価格２２５が描画されることが望ましい。図２に示すように、注文価格２２５は第２の表示領域２２０の中央付近の凸領域に少なくとも部分的に描画することによって、指定した注文数量×指定した注文価格がいくらになるかが一目瞭然となり、注文金額に対する即時理解性を高めている。
【００３４】
本発明の一態様においては、当該アプリが開かれた際に、市場における最終取引価格（Ｌａｓｔ  Ｔｒａｄｅ  Ｐｒｉｃｅ（ＬＴＰ））が売買価格として指定されて注文価格として注文価格領域２２５に表示される。また、売買価格の指定領域２２４には、ＬＴＰが指定されていることが示される。
【００３５】
そして、ユーザーが指定領域２２４をタップ又はクリックしたことに応じて、ＬＴＰ２１１Ａを基準としてあらかじめ定めた金額だけ増加又は減少させることができる。たとえば、図３の例は、指定領域２２４をタップすることで注文価格をＬＴＰ＋１０００円と定めて注文価格領域２２５を更新している。ＬＴＰ２１１Ａは市場において取引が約定するたびに変化し、その変化に追随して注文価格も変化していく。このようにすることによって、ユーザーは、刻々と変化する資産価格を基準とした所望の注文価格を指定した状態で、売却又は購入の発注機会を狙うことが可能となる。
【００３６】
ユーザー端末は、ＬＴＰ２１１Ａを含む板情報２１１を表示するために市場における取引データを有するサーバとコンピュータネットワークを介して継続的、定期的又は断続的に通信を行い、板情報２１１を表示するための板データを受信することができる。板データには、ＬＴＰ２１１Ａを表すＬＴＰデータが含まれる。
【００３７】
図２及び３の例では、ワンタッチでＬＴＰに所定の金額を加えた価格を指定し、さらにワンタッチでＬＴＰから所定の金額を引いた価格を指定することができ、さらにワンタッチでＬＴＰの指定に戻ることができる。ここでは３つの価格が指定可能となっているが、加算する金額を２段階、減算する金額を２段階として合計５つの価格を指定可能とするように、指定可能な金額の数は３つに限定されるものではない。売買価格の指定領域２２４の右、左、上又は下に指定可能な価格のいずれが指定されているかを視覚的に示すインジケータを配置してもよい。インジケータは、一列に配置された複数の点灯部とすることができる。また、加算又は減算の幅は、ユーザーが決定可能であり、それぞれ個別に決定可能としてもよい。
【００３８】
また、同一画面において、第２の表示領域２２０は売買数量の指定領域２２３も有することから、発注前に発注数量も指定しておくことができる。発注数量の指定についても、発注金額の指定と同様にワンタッチで切替可能とすることができ、また、指定可能な数量のいずれが指定されているかを視覚的に示すインジケータを配置することができる。また、切り替えられる複数の数量をユーザーが決定可能としてもよく、一例として、０．０１ＢＴＣ、０．０５ＢＴＣ、０．１０ＢＴＣ、０．５０ＢＴＣ、１．００ＢＴＣのうちの３つの中から切替可能とすることができる。
【００３９】
上述の処理をユーザー端末における流れ図として示すと図４のとおりである。すなわち、まず表示画面の第１の表示領域２１０に、ＬＴＰ２１１Ａを含む板情報２１１を表示する（Ｓ４０１）。図５に示すように、ユーザー端末５１０は、通信可能なサーバ５２０から金融商品の板情報２１１を表示するための板データを継続的、定期的又は断続的に受信し、板情報２１１を更新する。
【００４０】
それと同時に又はその前後に、第１の表示領域２１０の下方に配置された第２の表示領域２２０に、金融商品の売却を行うための売却領域２２１、購入を行うための購入領域２２２、売買数量の指定領域２２３、売買価格の指定領域２２４及びＬＴＰを基準とした注文価格を表示する注文価格領域２２５を表示する（Ｓ４０２）。
【００４１】
次に、売買価格の指定領域２２４がタップ又はクリックされたことを検出して、すなわち指定領域２２４がタップ又はクリックされたことに応じて、注文価格を所定の金額だけ増減させ、また注文価格領域２２５に表示される金額を更新する（Ｓ４０３）。ＬＴＰを基準として算出された注文価格は、ユーザー端末において記憶され、ＬＴＰが変化した場合、再計算して注文価格領域２２５に再描画される。ＬＴＰを基準として算出される注文価格は、注文価格領域２２５に表示する必要はあるものの、ＬＴＰに基づいて発注時に指定可能であればよく、その値自体を記憶して保持し続けておくことは必ずしも必要ではない。
【００４２】
注文価格の更新の前又は後に、売買数量の指定領域２２３がタップ又はクリックされたことを検出して、すなわち指定領域２２３がタップ又はクリックされたことに応じて、注文数量を所定の数量に切り替えて数量指定領域２２３に表示する（Ｓ４０４）。切替後の売買数量は、発注時に指定可能であればよく、その値又はそれを特定可能な当該値に対応するデータを記憶しておけばよい。また、指定された数量は、数量指定領域２２３に必ずしも表示しなくともよく、第１の表示領域２１０又は第２の表示領域２２０のいずれかの位置に表示してもよい。
【００４３】
ユーザーは、指定した価格及び数量でＬＴＰの変動に合わせて所望のタイミングで売却領域２２１又は購入領域２２２をタップ又はクリックすることによってユーザー端末５１０に対して発注を指示し、ユーザー端末５１０は、発注指示がなされたことを検出して、すなわち発注指示がなされたことに応じて、指定された価格及び数量での発注要求を取引市場を提供するコンピュータに向けて送信する（Ｓ４０５）。
【００４４】
上述のユーザー端末５１０は、通信インターフェースなどの通信部５１１と、プロセッサ、ＣＰＵ等の処理部５１２と、メモリ、ハードディスク等の記憶装置又は記憶媒体を含む記憶部５１３とを備え、各処理を行うためのプログラムを実行することによって構成することができる。当該プログラムは、１又は複数のプログラムを含むことがあり、また、コンピュータ読み取り可能な記憶媒体に記録して非一過性のプログラムプロダクトとすることができる。
【００４５】
なお、「××のみに基づいて」、「××のみに応じて」、「××のみの場合」というように「のみ」との記載がなければ、本明細書においては、付加的な情報も考慮し得ることが想定されていることに留意されたい。
【００４６】
また、念のため、なんらかの方法、プログラム、端末、装置、サーバ又はシステム（以下「方法等」）において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【００４７】
また、本明細書及びその添付図面に示されたＵＩは、仮想通貨又は暗号通貨を含む金融商品の取引機能付き電子計算機において、灰色に着色した部分を部分意匠として開示するものでもある。灰色に着色された第２の表示領域２２０の内部において濃灰色に着色された「売り」又は「買い」の取引ボタンは、その境界が部分意匠として意匠登録を受けようとする部分とその他の部分との境界のみを示す線であると解することができる。また、アイコン２２６についてもその境界が部分意匠として意匠登録を受けようとする部分とその他の部分との境界のみを示す線であると解することができ、インジケータを構成する各点灯部についても同様であり、本明細書及びその添付図面は、これらの任意の組み合わせにおいて、各種部分意匠を開示するものである。電子計算機としては、スマートフォン、タブレット等が挙げられる。
【００４８】
図２又は３に表された画像は、金融商品の発注条件を板情報等の当該金融商品に関する情報を見ながら指定するための画像であり、取引の実行に進むための取引ボタンと、取引を行う条件を指定するための条件指定領域の近傍に一列に配置された複数の点灯部とが表示される。各複数の点灯部は、当該複数の点灯部の近傍の条件指定領域によって指定された取引条件を視覚的に表すインジケータとして機能する。そして、数量指定領域へのタップ等の操作に応じて取引を行う数量が変化し、当該数量に対応して近傍に配置されたインジケータの点灯パターンが変化する。また、価格指定領域へのタップ等の操作に応じて取引を行う価格が変化し、当該価格に対応して近傍に配置されたインジケータの点灯パターンが変化する。価格については、ＬＴＰ、ＬＴＰ＋１０００円、ＬＴＰ−１０００円等のＬＴＰを基準として予め定められた価格が指定可能である。このように条件を指定して取引ボタンのタップ等の操作を行うことで、資産価格の変動スピードが速い金融商品についても、売却又は購入の取引の実行に確実に進むことができる。
【００４９】
（第２の実施形態）  
ユーザーによっては、ＬＴＰを基準とした価格ではなく、板情報２１１に表示されたいずれかの買値又は売値を基準とした発注を行いたいことがある。図６の例では、買値８７１８４１円をユーザーがタップ又はクリックすることによって選択したことに応じて、注文価格として当該金額を注文価格領域２２５に表示している。選択された売買価格は、発注時に指定可能であればよく、その値又はそれを特定可な当該値に対応するデータを記憶しておけばよい。
【００５０】
図６では、売買価格の指定領域２２４に買値又は売値６００がユーザーによって選択されたことを示す「選択」という表示がなされており、当該指定領域２２４がタップ又はクリックされた場合、注文価格をＬＴＰ又はＬＴＰから所定の金額を増減した価格に変更することができる。
【００５１】
（第３の実施形態）  
第１の実施形態にかかるＵＩ２００を用いることによって変動する金融商品の価格にリアルタイムに追随した発注の確実性が大きく高まるものの、第１の表示領域２１０と同一画面に表示可能な発注のための第２の表示領域２２０の大きさには限りがあることから、精緻な条件指定は行いづらい。
【００５２】
そこで、第３の実施形態では、第２の表示領域２２０に含まれるアイコン２２６がタップ、クリック、長押し等されることに応じて、詳細取引のためのＵＩ７００に遷移する。ここで、遷移は、アイコン２２６のタップ等以外に、売却領域２２１又は購入領域２２４の長押し等によって行われてもよく、また、第２の表示領域２２１の売却領域又は購入領域２２４以外の領域のタップ、クリック、長押し等によって行われてもよい。
【００５３】
ＵＩ７００は、板領域７１０と、板領域７１０の下方に配置された注文領域７２０と、注文領域の下方又は上方に配置された入力領域７３０とを有する。入力領域７３０は注文領域７２０の下方に配置するのが好ましい。
【００５４】
注文領域７２０には、金融商品の売却を行うための売却領域７２１及び購入を行うための購入領域７２２が含まれ、また、入力領域７３０を売買する数量のための第１の入力領域に切り替える第１の切替領域７２３及び当該入力領域７３０を売買する価格のための第２の入力領域に切り替える第２の切替領域７２４が含まれてもよい。また、注文領域７２０には、指定された価格及び数量による総発注価格を表示してもよく、これは、売却領域７２１と購入領域７２２との間に描画することが好ましい。売却領域７２１と購入領域７２２とは、売却と購入の誤操作を抑制するために隣り合わないことが望ましく、一方を注文領域７２０の右端側に配置し、他方を左端側に配置することがさらに望ましい。
【００５５】
入力領域７３０を有することによって、ＵＩ７００では、詳細な取引条件の指定を行うことができる。入力領域７３０には、第１の入力領域の際には、第１の実施形態にかかるＵＩ２００が有する数量指定領域２２３により指定可能な数量の値を０から９の数字に加えて表示し、第２の入力領域の際には、当該ＵＩ２００が有する価格指定領域２２４により指定可能な増減金額の値を０から９の数字に加えて表示することができる。また、入力領域７３０には、０から９の数字に加えて小数点を入力可能に表示してもよい。
【符号の説明】
【００５６】
２００  ＵＩ
２１０  第１の表示領域
２１１  板情報
２１１Ａ  ＬＴＰ
２１２  チャート情報
２１３  約定情報
２１４  建玉情報
２１５  証拠金情報
２１６  損益情報
２２０  第２の表示領域
２２１  売却領域
２２２  購入領域
２２３  数量指定領域
２２４  価格指定領域
２２５  注文価格領域
２２６  アイコン
５１０  携帯端末
５１１  通信部
５１２  処理部
５１３  記憶部
５２０  サーバ
６００  買値
７００  ＵＩ
７１０  板領域
７２０  注文領域
７２１  売却領域
７２２  購入領域
７２３  第１の切替領域
７２４  第２の切替領域
７３０  入力領域
【図１】
2019208662.tif 000003
【図２】
2019208662.tif 000004
【図３】
2019208662.tif 000005
【図４】
2019208662.tif 000006
【図５】
2019208662.tif 000007
【図６】
2019208662.tif 000008
【図７】
2019208662.tif 000009
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
金融商品の指値注文を行うための装置であって、
表示画面の第１の表示領域に板情報を表示し、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示し、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示し、
前記価格指定領域は、その右、左、上又は下に指定可能な価格のいずれが指定されているかを視覚的に示すインジケータを伴うことを特徴とする装置。
【請求項２】
前記注文価格領域に表示される価格を、前記金融商品のＬＴＰが変化したことに応じて更新することを特徴とする請求項１に記載の装置。
【請求項３】
前記注文価格領域は、前記売却領域と前記購入領域との間の中央付近に配置されることを特徴とする請求項１又は２に記載の装置。
【請求項４】
前記注文価格領域は、前記第２の表示領域の中央付近の凸領域に少なくとも部分的に表示されることを特徴とする請求項１から３のいずれかに記載の装置。
【請求項５】
前記数量指定領域がタップ又はクリックされたことに応じて、前記第１の表示領域又は前記第２の表示領域に表示される数量を切り替えることを特徴とする請求項１から４のいずれかに記載の装置。
【請求項６】
前記数量指定領域は、その右、左、上又は下に指定可能な数量のいずれが指定されているかを視覚的に示すインジケータを伴うことを特徴とする請求項１から５のいずれかに記載の装置。
【請求項７】
前記売却領域又は前記購入領域がタップ又はクリックされたことに応じて、指定された価格及び数量における前記金融商品の発注要求を送信することを特徴とする請求項１から６のいずれかに記載の装置。
【請求項８】
前記第２の表示領域のいずれかの領域がタップ、クリック又は長押しされたことに応じて、板領域、注文領域及び入力領域を有する詳細取引画面に前記表示画面を遷移させることを特徴とする請求項１から７のいずれかに記載の装置。
【請求項９】
金融商品の指値注文を行うための方法であって、
表示画面の第１の表示領域に板情報を表示するステップと、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップと
を含み、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示し、
前記価格指定領域は、その右、左、上又は下に指定可能な価格のいずれが指定されているかを視覚的に示すインジケータを伴うことを特徴とする方法。
【請求項１０】
コンピュータに、金融商品の指値注文を行うための方法を実行させるためのプログラムであって、前記方法は、
表示画面の第１の表示領域に板情報を表示するステップと、
前記表示画面の前記第１の表示領域の下方に配置された第２の表示領域に、前記金融商品の売却のための売却領域、前記金融商品の購入のための購入領域、売買する数量の数量指定領域、売買する価格の価格指定領域及び注文価格を表示する注文価格領域を表示するステップと
を含み、
前記価格指定領域がタップ又はクリックされたことに応じて、前記注文価格領域に前記金融商品のＬＴＰ又は前記ＬＴＰに所定の金額を加算若しくは前記ＬＴＰから所定の金額を減算した価格を表示し、
前記価格指定領域は、その右、左、上又は下に指定可能な価格のいずれが指定されているかを視覚的に示すインジケータを伴うことを特徴とするプログラム。
【国際調査報告】
2019208662.tif 000010
2019208662.tif 000011
2019208662.tif 000012
2019208662.tif 000013